(57)【要約】【課題】  昇降機制御装置の制御基板を再生する際に必要な最新の現地調整データを容易に提供可能とし、故障直前の状態への復旧を効率的に行えるようにする。【解決手段】  昇降機の運転制御を行う制御装置１０に保存される現地固有の調整データを読出し保存する昇降機監視装置において、調整データを保存する調整データ保管部２１と、制御装置１０から読み出した調整データと比較元データ保管部２２の調整データとを比較し差異有りと判定した場合、制御装置１０から読み出した調整データを比較元データ保管部２２に調整データとして保管する。【選択図】  図１
2015157672.tif 000002
【特許請求の範囲】
【請求項１】
昇降機の運転制御を行う制御装置に保存される現地固有の調整データを読出し保存する昇降機監視装置において、
前記調整データを保存する調整データ保管部と、
前記制御装置から読み出した調整データと前記調整データ保管部の調整データとを比較して差異有りと判定した場合、前記制御装置から読み出した調整データを前記調整データ保管部の調整データとして保管する手段と、
を有していることを特徴とする昇降機監視装置。
【請求項２】
請求項１に記載された昇降機監視装置において、
前記調整データ保管部の調整データが更新された場合、一般公衆回線を介して遠隔的に接続されている監視センターに送信する手段と、
を有していることを特徴とする昇降機監視装置。
【発明の詳細な説明】
【技術分野】
【０００１】
本発明は、昇降機の調整データを管理する昇降機監視装置に関する。
【背景技術】
【０００２】
近年の昇降機制御回路のマイコン化に伴い、昇降機故障時の復旧作業において昇降機制御基板の交換が必要となった揚合、昇降機保守会社の作業員が前記制御基板を交換した後、昇降機を円滑に制御するため現地昇降機の走行環境に応じた走行制御調整や負荷補償調整を再度実施し、復旧するのが一般的である。
【０００３】
上記調整作業の実施に当たっては、テストウェートを使用するため費用も要し、作業時間も長時間を必要とした。
【０００４】
この調整作業を低コスト化及び短時間化するために、現在、昇降機の保守会社が、昇降機の異常監視を行うために導入している遠隔監視端末を利用して、昇降機制御基板の交換時に備え昇降機制御基板に格納されている各種調整データを読出し、遠隔監視端末の格納部に保存し、昇降機制御基板の交換等の必要時に、新しい昇降機制御基板に書き込むことにより、交換前の昇降機制御基板と同じ調整データを所有した状態に復旧することができるようにし、これにより昇降機の復旧作業を効率的に行うようにすることが公開されている(特許文献１参照)。
【先行技術文献】
【特許文献】
【０００５】
【特許文献１】特開２００８−１６８９６６号公報
【発明の概要】
【発明が解決しようとする課題】
【０００６】
上記従来技術は、昇降機据付後に調整する現地固有の調整データは昇降機制御基板に保存され、更に昇降機稼動後に部品の交換等により必要があれば、昇降機保守会社の作業員が再度調整を行う。この場合、再度調整した最新の調整データは、実際に調整した作業員しか把握できていないこととなる。従来は、調整した作業員自身が新調整データを遠隔監視端末に書き込ませ、保存していた。
【０００７】
従って、作業員が気付かない簡易な作業で調整データの変更や調整後の新調整データを遠隔監視端末に書き込む操作を失念すると、遠隔監視端末に保存されている調整デー夕が最新のデータとは言えないため、復旧作業が効率的にできないという問題があった。
【０００８】
本発明の目的は、調整データの変更や調整後の新調整データを遠隔監視端末に書き込む操作を失念した場合でも復旧作業を効率的に行えるようにすることにある。
【課題を解決するための手段】
【０００９】
上記目的を達成するために、本発明は、昇降機の運転制御を行う制御装置に保存される現地固有の調整データを読出して保存する昇降機監視装置において、前記調整データを保存する調整データ保管部と、前記制御装置から読み出した調整データと前記調整データ保管部の調整データとを比較し差異有りと判定した場合、前記制御装置から読み出した調整データを前記調整データ保管部の調整データとする手段を有していることを特徴とする。
【００１０】
このような構成とすることにより、昇降機制御装置の交換時に備え遠隔監視端末内の格納部に常時に格納した調整データは、常に最新のデータであるため、昇降機制御装置の交換等の必要時に、新しい昇降機制御装置に書き戻すことにより、故障直前の昇降機制御装置と同じ制御状態に復旧することができる。
【発明の効果】
【００１１】
本発明によれば、昇降機制御装置の交換時に備え遠隔監視端末内の格納部に常時格納した調整データは常に最新であり、昇降機の復旧作業を効率的に行うことができる。
【図面の簡単な説明】
【００１２】
【図１】本発明の一実施例を示す全体構成図である。
【図２】本発明の一実施例の処理を示すフローチャートである。
【発明を実施するための形態】
【００１３】
以下、本発明に係る昇降機監視装置の一実施形態を、図１に基づいて説明する。
【００１４】
図１において、昇降機（図示せず）の制御装置１０の制御基板１１は現地調整データ保管部１２を有している。
【００１５】
昇降機監視装置２０の現地調整データ保管部２１は、図示しない通信手段を用いて現地調整データ保管部１２の調整データを常時読出して保管している。
【００１６】
昇降機監視装置２０の比較処理部２３は、現地調整データ保管部２１の現地調整データと比較元データ保管部２２の比較元データとを比較し、相違があったら現地調整データを比較元データ保管部２２に格納する。
【００１７】
そして、比較元データ保管部２２の比較元データを図示しない通信手段を用いて、監視センター３０のセンターデータ保管部３１に格納する。
【００１８】
この結果、センターデータ保管部３１は昇降機の最新の現地調整データを収集することができる。従って、制御装置１０の制御基板１１が破損したため、これを交換する場合、図示しない書込みツールでセンターデータ保管部３１の該当する昇降機の現地調整データを読出し、新たな制御基板１１に書込むことにより容易に再生できる。
【００１９】
次に、本発明の昇降機監視装置の処理内容を、図２のフローチャートを使用して説明する。
【００２０】
手順Ｓ１において、現地調整データ保管部２１は、昇降機の現地調整データを常時読出し保管している。
【００２１】
次に、手順Ｓ２において、比較処理部２３は、現地調整データ保管部２１の現地調整データと比較元データ保管部２２の比較元データとを比較する。相違が無い場合は（手順Ｓ２でＮＯ)、手順Ｓ１を繰返し実施する。相違がある場合（手順Ｓ２でＹＥＳ）は、手順Ｓ３において現地調整データを比較元データ保管部２２に格納する。
【００２２】
次に、手順Ｓ４において、比較元データ保管部２２の現地調整データをセンター保管部３１に転送し、保管する。
【００２３】
以上で、処理を終了する。
【００２４】
上記実施形態によれば、管轄下の昇降機情報と調整データを常時読出し、両者の調整データ間に相違があれば、最新の調整データをセンターデータ保管部に転送、保管しており、故障等基板の交換があった時、センターデータ保管部から故障直前の調整データを取得でき、短時間で現場調整ができる。
【符号の説明】
【００２５】
１０  制御装置
１１  制御基板
１２  現地調整データ保管部
２０  昇降機監視装置
２１  現地調整データ保管部
２２  比較元データ保管部
２３  比較処理部
３０  監視センター
３１  センターデータ保管部
【図１】
2015157672.tif 000003
【図２】
2015157672.tif 000004